(57)【要約】      （修正有）【課題】簡易な構成で、掲示対象であるシートの全域を壁面等にピッタリと張り付けたような状態にして提示することができ、しかも透明の壁面の裏側にいる者に対しても、必要に応じて掲示対象であるシートをその全域で確実に提示することができる、壁等への着脱が自在のシート掲示具を提供する。【解決手段】壁Ｗ等の被着座面Ｆに接面して着脱自在に着座することで紙等のシートＳを掲示するシート掲示具１であって、矩形形状の透明シートからなる本体カバー１０と、該本体カバー１０の裏面側辺に沿って帯状に積層される着座用部２０とを有し、且つ前記本体カバー１０の裏面側に、周辺を前記着座用部２０との段差２１によって枠状に囲まれてなるシート収容凹所３０を形成し、該シート収容凹所３０に掲示対象であるシートＳを収容し、前記着座用部２０で被着座面Ｆに接面して着座させる。【選択図】図４
0003157895.tif 000002
【実用新案登録請求の範囲】
【請求項１】
壁等の被着座面に接面して着脱自在に着座することで紙等のシートを掲示するシート掲示具であって、矩形形状の透明シートからなる本体カバーと、該本体カバーの裏面側４辺に沿って帯状に積層される着座用部とを有し、且つ前記本体カバーの裏面側に、周辺を前記着座用部との段差によって枠状に囲まれてなるシート収容凹所を形成し、該シート収容凹所に掲示対象であるシートを収容し、前記着座用部で被着座面に接面して着座させることを特徴とするシート掲示具。
【請求項２】
シート収容凹所は日本工業規格Ａ列、Ｂ列に属する寸法若しくは規定の写真寸法の何れか１つに該当する大きさのシートが丁度入る平面寸法に構成してあることを特徴とする請求項１に記載のシート掲示具。
【請求項３】
シート収容凹所の深さを０．２ｍｍ〜２ｍｍの範囲に構成してあることを特徴とする請求項１又は２に記載のシート掲示具。
【請求項４】
本体カバーは塩化ビニル製の透明シートで構成してあることを特徴とする請求項１〜３の何れかに記載のシート掲示具。
【請求項５】
着座用部は、吸着層で構成してあることを特徴とする請求項１〜４の何れかに記載のシート掲示具。
【請求項６】
着座用部は、粘着剤を担持させた吸着層で構成してあることを特徴とする請求項１〜４の何れかに記載のシート掲示具。
【請求項７】
着座用部は、非移行性の粘着層で構成してあることを特徴とする請求項１〜４の何れかに記載のシート掲示具。
【請求項８】
着座用部は、強磁性を有する軟質層で構成してあることを特徴とする請求項１〜４の何れかに記載のシート掲示具。
【考案の詳細な説明】
【技術分野】
【０００１】
本考案は、壁等の被着座面に着脱自在に接面して着座し、紙等のシートを掲示するシート掲示具に関する。
【背景技術】
【０００２】
従来、広告、チラシ、お知らせ、ビジネス書類、メモ、写真等のシートを壁等の被着座面に着脱自在に着座させて掲示することができる掲示具が提供されている。
このようなものとして、例えば下記特許文献１〜３がある。
下記特許文献１、２はクリップで、掲示の対象となるシートをマグネットで挟んで保持し、粘着部や吸盤で壁面等に着脱自在に取り付けるようにしたものである。
下記特許文献３は掲示用具で、掲示の対象となるシートを透明シートからなる袋（具本体）（１）に収容するようにし、その透明の袋（１）を支持プレート（２）に設けたピンや磁石からなる止め具（３ａ）、（３ｂ）で壁面等に取り付けるようにしたものである。
【先行技術文献】
【特許文献】
【０００３】
【特許文献１】特開平１０−５０５１６号公報
【特許文献２】特開２０００−１１０８２１号公報
【特許文献３】実用新案登録第３１３５０１４号公報
【考案の概要】
【考案が解決しようとする課題】
【０００４】
上記特許文献１、２のクリップにおいては、掲示対象のシートがクリップで挟まれることで、その挟まれた部分がクリップによって隠れてしまうという問題がある。またクリップのある部分だけでシートが保持されるので、シートが壁面等にピッタリと張り付けたようには取り付けることができず、壁面等に提示された状態でシートの一部が壁面から離れて湾曲した状態になり易いという問題がある。
上記特許文献３の掲示用具においては、透明の袋（１）に掲示対象のシートを入れることで、前面側からはシートの一部が隠されることなく掲示することができるものの、支持プレート（２）や止め具（３ａ）、（３ｂ）が透明ではないため、透明壁の裏面側から掲示物を見ることができるようにする場合には、前記支持プレート（２）や止め具（３ａ）、（３ｂ）が邪魔になる問題がある。また特許文献３の掲示用具の場合は、支持プレート（２）のある部分だけで袋（１）が壁面等に取り付けられるので、その袋（１）及びそれに収容されたシートの全域で壁面等にピッタリと張り付いて掲示されるとは限らず、その一部が壁面から離れたりする問題がある。また袋（１）の場合、袋（１）の表裏のシートが相互にゆがみ易く、中に入れられた掲示用の紙等が見づらくなり易い問題がある。
【０００５】
そこで本考案は上記従来における問題点を解決し、簡易な構成で、掲示対象であるシートの全域を壁面等にピッタリと張り付けたような状態にして提示することができ、しかも透明の壁面の裏側にいる者に対しても、必要に応じて掲示対象であるシートをその全域で確実に提示することができる、壁等への着脱が自在のシート掲示具の提供を課題とする。
【課題を解決するための手段】
【０００６】
本考案のシート掲示具は、壁等の被着座面に接面して着脱自在に着座することで紙等のシートを掲示するシート掲示具であって、矩形形状の透明シートからなる本体カバーと、該本体カバーの裏面側４辺に沿って帯状に積層される着座用部とを有し、且つ前記本体カバーの裏面側に、周辺を前記着座用部との段差によって枠状に囲まれてなるシート収容凹所を形成し、該シート収容凹所に掲示対象であるシートを収容し、前記着座用部で被着座面に接面して着座させることを第１の特徴としている。
また本考案のシート掲示具は、上記第１の特徴に加えて、シート収容凹所は日本工業規格Ａ列、Ｂ列に属する寸法若しくは規定の写真寸法の何れか１つに該当する大きさのシートが丁度入る平面寸法に構成してあることを第２の特徴としている。
また本考案のシート掲示具は、上記第１又は第２の特徴に加えて、シート収容凹所の深さを０．２ｍｍ〜２ｍｍの範囲に構成してあることを第３の特徴としている。
また本考案のシート掲示具は、上記第１〜第３の何れかの特徴に加えて、本体カバーは塩化ビニル製の透明シートで構成してあることを第４の特徴としている。
また本考案のシート掲示具は、上記第１〜第４の何れかの特徴に加えて、着座用部は、吸着層で構成してあることを第５の特徴としている。
また本考案のシート掲示具は、上記第１〜第４の何れかの特徴に加えて、着座用部は、粘着剤を担持させた吸着層で構成していることを第６の特徴としている。
また本考案のシート掲示具は、上記第１〜第４の何れかの特徴に加えて、着座用部は、非移行性の粘着層で構成してあることを第７の特徴としている。
また本考案のシート掲示具は、上記第１〜第４の何れかの特徴に加えて、着座用部は、強磁性を有する軟質層で構成してあることを第８の特徴としている。
【考案の効果】
【０００７】
請求項１に記載のシート掲示具によれば、壁等の被着座面に接面して着脱自在に着座することで紙等のシートを掲示するシート掲示具であって、矩形形状の透明シートからなる本体カバーと、該本体カバーの裏面側４辺に沿って帯状に積層される着座用部とを有し、且つ前記本体カバーの裏面側に、周辺を前記着座用部との段差によって枠状に囲まれてなるシート収容凹所を形成し、該シート収容凹所に掲示対象であるシートを収容し、前記着座用部で被着座面に接面して着座させるようにしているので、
掲示対象である広告、チラシ、お知らせ、ビジネス書類、メモ、写真等のシートを、本体カバーの裏面側のシート収容凹所に収容し、本体カバーの裏面側４辺に沿って設けられた着座用部で壁面等の被着座面に接面して着座させることで、前記シートの掲示ができる。
シート収容凹所の周辺全周が壁面等の被着座面に接面することにより、掲示対象であるシートの全域を壁面等にピッタリと張り付けたような状態にして提示することができる。
シート収容凹所に収容された状態で掲示されたシートはその前面の全領域が透明シートからなる本体カバーで覆われているので、シートの一部が隠されることなくシートの全領域を確実に提示することができる。しかも、シート全体が本体カバーで保護されているので、損傷を予防することができる。
またシート掲示具を着座させる壁等が透明である場合には、壁等の裏側にいる者に対しても、シートを掲示することができる。即ち、透明壁の反対側（裏側）にいる者に対して掲示を行う場合には、シートの掲示面が本体カバーとは反対向きになるようにしてシート収容凹所に収容して、シート掲示具を透明壁に着座させることで、シートの掲示面の全域が透明壁を介して透過壁の反対側に掲示される。
勿論、１枚のシートの両面に印刷等がされたもの、或いは掲示対象であるシート２枚を一対で裏合わせ状態にしたものをシート掲示具の収容凹所に収容させることで、透明壁の表側と裏側の両側からシートの掲示内容を見ることができる。
シート収容凹所はその周囲を枠状に取り囲む着座用部との段部によって形成されるので、その段部を仕切りとして、シートを確実に収容保持することができる。
また掲示用のシート（紙）をプラスチックフィルムでラミネートしたものを、セロハンテープや押しピン等で壁面に貼る方法があるが、このような方法では使用後に紙とラミネート樹脂とを分別されることなく遺棄される問題が生じ、環境衛生上よくない。本考案のシート掲示具では、使用後にシート（紙）を外して、分別することが容易にできるメリットがある。
【０００８】
請求項２に記載のシート掲示具によれば、上記請求項１の構成による作用効果に加えて、シート収容凹所は日本工業規格Ａ列、Ｂ列に属する寸法若しくは規定の写真寸法の何れか１つに該当する大きさのシートが丁度入る平面寸法に構成してあるので、
例えば掲示対象であるシートの大きさが日本工業規格のＡ列或いはＢ列に属する規定の大きさ、またシートが写真である場合には規定の写真寸法の大きさである場合、そのＡ列やＢ列、規定の写真寸法に属するシートが丁度入る平面寸法のシート収容凹所を持つシート掲示具を用意することで、Ａ列、Ｂ列、規定の写真寸法をもつ各シートを用いた種々の内容の掲示を、すっきりとした状態で綺麗に収容して、ピッタリと壁面に沿わせて行うことができる。
【０００９】
請求項３に記載のシート掲示具によれば、上記請求項１又は２の構成による作用効果に加えて、シート収容凹所の深さを０．２ｍｍ〜２ｍｍの範囲に構成してあるので、
掲示対象であるシートの一般的な厚みの範囲である０．１〜０．５ｍｍ程度に対して深すぎることがないので、シートを本体カバーに対してほぼ平行に収容することができ、壁面に沿ったピッタリとした掲示することができる。また浅すぎることもなく、２枚のシートを裏返しに合わせて両面掲示とする程度の深さも確保することができる。
【００１０】
請求項４に記載のシート掲示具によれば、上記請求項１〜３の何れかの構成による作用効果に加えて、本体カバーは塩化ビニル製の透明シートで構成してあるので、
該塩化ビニル製のシートに発生する静電気を利用して、掲示対象であるシートを本体カバーの裏面側のシート収容凹所に収容する際、該シートを本体カバーの裏面にずれることなくピッタリと接面させることができる。よって皺、ずれ、凹凸のない非常に綺麗な掲示ができる。
【００１１】
請求項５に記載のシート掲示具によれば、上記請求項１〜４の何れかに記載の構成による作用効果に加えて、着座用部は、吸着層で構成してあるので、
着座用部の吸着層により、ガラス壁、金属壁、樹脂壁、その他の材料からなる壁の、少なくとも平滑な表面を備えた壁面に対して、繰り返し、着脱自在に接面して着座させることができる。
【００１２】
請求項６に記載のシート掲示具によれば、上記請求項１〜４の何れかに記載の構成による作用効果に加えて、着座用部は、粘着剤を担持させた吸着層で構成してあるので、
着座用部の吸着層により、ガラス壁、金属壁、樹脂壁、その他の材料からなる壁の、少なくとも平滑な表面を備えた壁面に対して、繰り返し、着脱自在に接面して着座させることができる。加えて、粘着剤が吸着層に担持されているので、その粘着剤が消耗しない状態では、吸着に粘着が加わって、一層確実に壁面に取り付けることができる。また平滑性に多少劣る壁面にも取り付けることができる。なお、粘着剤は吸着層に含浸させた状態で担持させることで、比較的長期に亘って、その粘着効果を持続させることができる。
【００１３】
請求項７に記載のシート掲示具によれば、上記請求項１〜４の何れかに記載の構成による作用効果に加えて、着座用部は、非移行性の粘着層で構成してあるので、
着座用部の粘着層により、ガラス壁面、その他の壁面に接面して着座させることができる。そして前記粘着層は非移行性の粘着層としているので、使用後にガラス等の壁面に粘着層がこびりつくことも予防できる。勿論、複数回数に亘って着脱を繰り返すことができる。
【００１４】
請求項８に記載のシート掲示具によれば、上記請求項１〜４の何れかに記載の構成による作用効果に加えて、着座用部は、強磁性を有する軟質層で構成してあるので、
磁石が吸着できる壁面等に対して、簡単に取り付けて着座させることができる。
【図面の簡単な説明】
【００１５】
【図１】本考案の実施形態に係るシート掲示具の正面図である。
【図２】本考案の実施形態に係るシート掲示具の背面図である。
【図３】本考案の実施形態に係るシート掲示具を背面側から見た一部破断斜視図である。
【図４】本考案の実施形態に係るシート掲示具の取り付け状態を示す断面図である。
【考案を実施するための形態】
【００１６】
以下の図面を参照して、本考案に係るシート掲示具を説明し、本考案の理解に供する。しかし、以下の説明は本考案の実用新案登録請求の範囲に記載の考案を限定するものではない。
【００１７】
図１〜図４を参照し、本考案に係るシート掲示具１は、本体カバー１０と着座用部２０とからなる。
このシート掲示具１は、広告、チラシ、お知らせ、ポスター、ビジネス書類、メモ等の文字書類としてのシート、写真としてのシート、模様や図等の絵柄としてのシート、それら文字、写真、絵柄の組み合わせからなるシートを、掲示対象シートＳとして、壁Ｗやその他の垂直平面、水平平面等の被着座面Ｆに掲示するものである。掲示対象シートＳとしては、紙、プラスチック、その他の材料からなるシートを対象とすることができる。
【００１８】
前記本体カバー１０は、矩形形状の透明シートからなる。本体カバー１０の使用材料は塩化ビニルとする。勿論、その他の樹脂材料を用いることもできる。しかし塩化ビニルを用いた場合には、静電気の発生により掲示対象シートＳを、皺がよることなく、ピッタリと本体カバー１０に接面して保持させることができる。
前記において矩形形状とは、正方形、長方形、及びそれらの四隅が少し落とされたような略正方形、略長方形を含む概念である。また前記透明シートとは光が透過するシートを言うが、光の透過率が１００％である必要はなく、本体カバー１０の下にある掲示対象シートＳの記載内容が見えるものであればよい。勿論、色つきの透過シートも可能である。
本体カバー１０の厚みは、特に限定されるものではないが、例えば０．１ｍｍ〜２ｍｍ程度とすることができる。この程度の厚みを与えることで、光の十分な透過性を確保すると共に、壁Ｗ等の被着座面Ｆへの接面をピッタリとしたものにすることができ、また掲示用シートＳの保護を十分に行える。
【００１９】
前記着座用部２０は、シート掲示具１を壁Ｗ等の被着座面Ｆに取り付けて着座させる役割を果たすものである。この着座用部２０は本体カバー１０の裏面側の４辺に沿って一定の幅と一定の厚みとをもって帯状に積層されて構成されている。
着座用部２０は、吸着層によって構成することができる。吸着層の表面を全面で壁面Ｗ等の被着座面Ｆに押し当てることで、被着座面Ｆへの吸着がなされ、これによってシート掲示具１が接面状態で被着座面Ｆに着座して取り付けられる。また着座用部２０の吸着層を被着座面Ｆから剥がすことで、シート掲示具１を被着座面Ｆから取り外すことができる。何回も繰り返して使用することができる。
着座用部２０に吸着層を用いたシート掲示具１の場合は、吸着を利用した取り付けであることから、平滑な表面を持つ壁Ｗ等の被着座面Ｆに好ましく、着脱自在に繰り返して使用することができる。例えばガラス表面、金属表面、樹脂表面、その他、表面粗さの小さい材料表面に好適である。
前記吸着層としては、少なくとも被着座面Ｆに対面する吸着層表面の全面に吸着特性を保有する材料を用いている。
前記着座用部２０は、例えば吸着層を備えた両面テープを用いて構成することができる。即ち、両面テープの一方のテープ面で、本体カバー１０の裏面側に容易に剥離しないように接合して着座用部とする。両面テープの他方のテープ面が壁Ｗ等の被着座面Ｆに対する取り付け面となって、着脱自在に着座する。
【００２０】
更に前記着座用部２０は、粘着剤を担持させた吸着層によって構成することができる。粘着剤を担持させることで、吸着力に加えて粘着力を発揮し、被着座面Ｆへの取り付けが一層確実に行える。また平滑性に多少劣る壁面にも取り付けることができる。
前記粘着剤の担持は、例えば非移行性の粘着剤を吸着層に含浸させることによって行うことができる。含浸させることで、長期に亘って粘着の効果を持続させることができる。
【００２１】
着座用部２０は、粘着層によって構成することができる。この粘着層は複数回繰り返して使用できるものとする。また粘着層は非移行性の粘着剤とし、シート提示具１を壁Ｗ等の被着座面Ｆから取り外す際に、粘着剤が被着座面Ｆ側に残留しないようにしている。
この粘着層からなる着座用部２０は、粘着層を備えた両面テープを用いて、上記吸着層を備えた着座用部２０の場合と同様に構成することができる。
【００２２】
また前記着座用部２０は、強磁性を有する軟質層で構成することができる。この強磁性を有する軟質層は、例えば強磁性の磁石粉を分散させたゴムや軟質のプラスチックとすることができる。このような強磁性を有する着座用部２０を用いることで、金属製の壁Ｗやその他、磁石が吸着できるようにした壁Ｗ等の被着座面Ｆに対して複数回繰り返して使用することができる。
この強磁性を備えた着座用部２０は、強磁性を有する軟質層を備えた両面テープを用いて、上記吸着層を備えた着座用部２０の場合と同様に構成することができる。
【００２３】
前記着座用部２０で囲まれた領域をシート収容凹所３０としている。即ちシート収容凹所３０は、本体カバー１０の裏面側に、周辺を前記着座用部２０との段差２１によって枠状に囲まれて形成されている。
このシート収容凹所３０に掲示対象シートＳを収容することで、シート掲示具１を壁Ｗ等の被着座面Ｆに取り付けて着座させた際、掲示対象シートＳを現に壁Ｗ面等に取り付けたような状態にしてその内容を掲示することができる。またシート収容凹所３０に掲示対象シートＳを収容することで、掲示対象シートＳを本体カバー１０で保護することができる。
【００２４】
前記シート収容凹所３０の平面寸法は、日本工業規格Ａ列、Ｂ列に属する寸法若しくは規定の写真寸法の何れか１つに該当する大きさの掲示対象シートが丁度入る平面寸法に構成してある。即ち、Ａ２、Ａ３、Ａ４等のＡ列に属する規定の寸法、Ｂ４、Ｂ５等のＢ列に属する規定の寸法、四つ切、八つ切等の規定の写真寸法に属する規定の寸法の何れかの寸法に対応して、その寸法の掲示対象シートＳが丁度入る平面寸法にを定めている。ここで、「丁度入る平面寸法」とは、それら規定寸法（縦横寸法）に対してシート収容凹所の平面寸法（縦横寸法）を同じ寸法にする他、多少大きい平面寸法（縦横寸法）、例えば縦寸法、横寸法をそれぞれ数ミリ程度以下大きくした平面寸法を含み、シート収容凹所３０に掲示対象シートＳに対して多少の余裕を持たせた平面寸法を言うものとする。別な言い方をすると、掲示対象シートＳをシート収容凹所３０内に入れ易く、且つシート収容凹所に入れた状態で掲示対象シートＳの姿勢が右上がりや左上がりに傾かない状態となる平面寸法を言うものとする。
【００２５】
一方、シート収容凹所３０の深さは、例えば０．２ｍｍ〜２ｍｍの範囲に構成する。この深さは、前記着座用部２０の段部２１の寸法でもある。紙等の掲示対象シートＳの一般的な厚みは、０．１〜０．５ｍｍ程度であるので、シート収容凹所３０の深さを前記０．２ｍｍ〜２ｍｍ程度とすることで、１枚の掲示対象シートＳを入れたときに、大きな過不足が生じることなく収容することができる。よって壁面等の被着座面Ｆにシート掲示具１を取り付けた状態で、掲示対象シートＳが該被着座面Ｆにも、また本体カバー１０にも平行な状態に維持することができる。もしシート収容凹所３０が深すぎる場合には、シート収容凹所３０内に収容された掲示対象シートＳが内部で曲がったりし易くなり、被着座面Ｆや本体カバー１０に対する平行が確保し難くなり、歪みのない綺麗な掲示が確保できなくなる。
またシート収容凹所３０を前記の深さとすることで、２枚のシートを裏返しに合わせて収容する場合にも、２枚ぐらいなら十分に収容が可能である。
【００２６】
なお前記着座用部２０の帯の幅は、シート収容凹所３０の平面寸法の大きさに応じた幅寸法とすることができる。例えば、シート収容凹所３０の平面寸法をＡ４（２９７ｍｍ×２１０ｍｍ）に対応するものとする場合には、着座用部２０の帯の幅を１０ｍｍ程度とする。そしてこの場合、本体カバー１０の寸法は略３０７ｍｍ×２２０ｍｍ程度となる。
シート収容凹所３０の平面寸法が前記Ａ４よりも小さくなるにつれて、前記着座用部２０の帯幅寸法を徐々に小さくして行き、シート収容凹所３０の平面寸法が前記Ａ４よりも大きくなるにつれて、前記着座用部２０の帯幅寸法を徐々に大きくして行くことができる。
【００２７】
図４を参照して、シート掲示具１の使い方を説明すると、先ず壁Ｗの表側（図４の壁Ｗの左側）に掲示対象シートＳによる掲示を行う場合、この場合は掲示対象シートＳの掲示対象面（表面）を本体カバー１０に向けてシート収容凹所３０に収容し、その状態で着座用部２０を壁Ｗの被着座面Ｆに着座させる。着座用部２０は掲示対象シートＳの周囲に外れているので、掲示対象シートＳの掲示対象面全体が透明の本体カバー１０を介して壁Ｗの表側から見ることができる。
次に、掲示対象シートＳによる掲示を透明な壁Ｗの裏側（図４の壁Ｗの右側）に対して行う場合、この場合は掲示対象シートＳの掲示対象面（表面）を本体カバー１０とは反対に向けてシート収容凹所３０に収容し、その状態で着座用部２０を壁Ｗの被着座面Ｆに着座させる。これによって掲示対象シートＳの掲示対象面全体が透明の壁Ｗを介して壁Ｗの裏側から見ることができる。
更に掲示対象シートＳによる掲示を壁Ｗの両側から見えるようにする場合、この場合は掲示対象であるシート２枚を一対で裏合わせ状態にしてシート掲示具１の収容凹所３０に収容し、その状態で着座用部２０を壁Ｗの被着座面Ｆに着座させる。勿論、掲示対象である１枚のシートの両面に印刷等がされている場合は、その１枚のシートをシート掲示具１の収容凹所３０に収容させるだけでよい。これによって透明壁の表側と裏側の両側から、それぞれシートの掲示内容の全てを見ることができる。
【産業上の利用可能性】
【００２８】
本考案は広告、チラシ、お知らせ、ポスター、ビジネス書類、メモ等の文字書類としてのシート、写真としてのシート、模様や図等の絵柄としてのシート、それら文字、写真、絵柄の組み合わせからなるシートを、掲示対象シートＳとして、壁Ｗやその他の垂直平面、水平平面等の被着座面Ｆに掲示することができるシート掲示具１として産業上利用することができる。
【符号の説明】
【００２９】
１            シート掲示具
１０          本体カバー
２０          着座用部
２１          段部
３０          シート収容凹所
Ｓ            掲示対象シート
Ｆ            被着座面
Ｗ            壁
【図１】
0003157895.tif 000003
【図２】
0003157895.tif 000004
【図３】
0003157895.tif 000005
【図４】
0003157895.tif 000006